(57)【要約】      （修正有）【課題】マスク本体の左右側端辺の夫々に、耳掛紐を取付けたものにおいて、鼻および口周辺とマスク本体の裏面生地との密着あるいは接触による不快感を回避するマスクを提供する。【解決手段】マスクは、口周辺および鼻を覆うに足る大きさと形状を備えたマスク本体１の左右の側端辺３、３‘の夫々に、耳掛紐２、２‘を取付けたマスクであって、前記マスク本体１の裏面１ｂに凹状部９が形成され、この凹状部９の反対側の面に、前記マスク本体１の表面１ａが重着され、かつ、前記裏面１ｂに不織布を使用するとともに、前記表面１ａに織布を使用してなることを特徴とする。【選択図】図５
0003120210.tif 000002
【実用新案登録請求の範囲】
【請求項１】
口周辺および鼻を覆うに足る大きさと形状を備えたマスク本体１の左右の側端辺３、３‘の夫々に、耳掛紐２、２‘を取付けたマスクであって、
前記マスク本体１の裏面１ｂに凹状部９が形成され、
この凹状部９の反対側の面に、前記マスク本体１の表面１ａが重着され、
かつ、前記裏面１ｂに不織布を使用するとともに、前記表面１ａに織布を使用してなることを特徴とするマスク。
【請求項２】
前記マスク本体１の表面１ａに、メリヤス編みの布を使用してなることを特徴とする請求項１記載のマスク。
【考案の詳細な説明】
【技術分野】
【０００１】
本考案は、顔面への装着性を改善したマスクに関する。詳しくは、マスクの表面あるいは裏面の生地として、各種の布の中から、それぞれの面に求められる特性を有する布を選択、採用することにより、マスク装着の際、鼻、あるいは、口周辺の息苦しさ、圧迫感等の問題を解消したマスクに関する。
【背景技術】
【０００２】
従来から、マスクには、顔面への装着感を改善するために種々の工夫がなされている。図６に展開状態のマスクを表面１１ａから見た斜視図として示すように、マスクＢは、口周辺および鼻を覆うに足る大きさと形状を備え、複数枚の布を重ね合わせたマスク本体１１の、左右の側端辺１３、１３‘の夫々に、ゴム輪状の耳掛紐１２、１２‘を設けている。そして、マスク本体１１の上下の縁辺１４、１６の中央部において、Ｖカット状の縫い縮め部１５、１５‘を設ける。マスク本体１１の中央部をＶカットにして縫い縮めることにより、中央部の縦寸法が左右の側端辺１３、１３‘より長くなる。
【０００３】
図７に展開状態のマスクを裏面１１ｂから見た斜視図として示すように、マスク本体１１の中央部において、鼻および口周辺と対向する部分に凹状部１９が形成されるので、この部分がマスクと鼻および口周辺との間のゆとり空間となる。その効果として、マスク装着時における息苦しさや、密着による不快感を解消できる。
【０００４】
しかしながら、鼻および口周辺と対向する凹状部１９の凹み具合が不十分であるため、マスク本体１１の中央部において、裏面の生地が鼻に接触あるいは密着してマスク装着時の不快感をもよおす。
【考案の開示】
【考案が解決しようとする課題】
【０００５】
昨今の様に、感染性でより悪質なウイルスが次々に発見され、季節が巡る毎に多くの人々が花粉症に苦しめられている現状を考えれば、あるいは、各種の生産施設や廃棄物処理施設等で、有害な粉塵に曝さらされている人々の健康管理を考えれば、これ等の問題を最も手軽に解決する手段であるマスクに関し、マスクと鼻との接触による不快感を回避する必要性がある。
【０００６】
そこで、本考案の目的は、複数の布を重着して作られたマスク本体の、左右の側端辺の夫々に、耳掛紐を取付けたものにおいて、鼻および口周辺とマスク本体の裏面生地との密着あるいは接触による不快感を回避するマスクを提供する。
【課題を解決するための手段】
【０００７】
上記の目的を達成するための、本考案によるマスクは、口周辺および鼻を覆うに足る大きさと形状を備えたマスク本体１の左右の側端辺３、３‘の夫々に、耳掛紐２、２‘を取付けたマスクであって、前記マスク本体１の裏面１ｂに凹状部９が形成され、この凹状部９の反対側の面に、前記マスク本体１の表面１ａが重着され、かつ、前記裏面１ｂに不織布を使用するとともに、前記表面１ａに織布を使用してなることを特徴とする。
【０００８】
また、請求項２の考案は、請求項１の上記特徴に加えて、前記マスク本体１の表面１ａに、メリヤス編みの布を使用してなることを特徴とする。
【考案の効果】
【０００９】
上記の構成を備えた本考案によるマスクは、従来のマスクに比べて以下に示す様な優れた機能を備えている。マスク本体の表面あるいは裏面の生地として、各種の布の中から、それぞれの面に必要とされる特性を有する布を選択、使用したものである。即ち、裏面の生地として弾力性に富む不織布を使用するので、凹状部の膨らんだ形状を形成し易い。そして、この凹状部の面とは反対側に表面を重着する。表面には弾力性のあるメリヤス編み、あるいは、ガーゼ等の織布を使用するので、凹状部の表面側へ膨らんだ形状に追随し易く、彎曲面を得易い。このようにして、マスク本体の表裏を一体化した織物構造である。裏面には、鼻および口周辺と対向する凹状部が形成される結果、鼻と口周辺にはゆとりの空間が形成され、マスク本体の裏地と鼻あるいは口周辺との接触あるいは密着による不快感を回避することができる。また、マスク本体の周辺は、顔面との気密性がよく、そのため、粉塵やウイルス等の吸入阻止機能を顕著に高めることができる。
【考案を実施するための最良の形態】
【００１０】
本考案の実施の形態を、添付図面に示した本考案の実施例に基づいて以下に具体的に説明する。
【実施例１】
【００１１】
先ず、本考案の実施例について、図１〜３を参照しながら説明する。図１は、この実施例における展開状態のマスクＡ１を表面１ａから見た斜視図、図２は、マスクＡ１を裏面１ｂから見た斜視図である。図３は、マスクを装着した状態の説明図である。
【００１２】
マスクＡ１を表面１ａから見た斜視図として図１に示すように、マスクＡ１は、口および鼻孔を覆うに足る大きさと形状を備えたマスク本体１と、マスク本体１の左右の側端辺３、３‘の夫々に、ゴム輪状の耳掛紐２、２‘を設けている。そして、マスク本体１の上下の縁辺４、６の中央部において、Ｖカット状の縫い縮め部５、５‘を上下に設ける。マスク本体１の中央部の上下をＶカットにして縫い縮めることにより、中央部の頂点Ｐ、Ｑ、Ｑ‘、Ｐ‘を結び、表面側へ膨らんだ曲線は左右の側端辺３、３‘より長くなる。そして、この表面１ａの生地として、織布のガーゼを使用する。
【００１３】
一方、マスクＡ１を裏面１ｂから見た斜視図として図２に示すように、マスク本体１の縁辺４、側壁辺３，３‘および縁辺６によりマスクの周辺が形成される。そして、この周辺が高く、中央部へ低く下がって凹状部９が椀状に形成される。そして、この裏面１ｂの生地として、不織布を使用する。
【００１４】
ここで、マスク本体１の凹状部９が形成される側を裏面と称し、この反対側の凸形状に形成される側を表面と称する。ここで、裏面１ｂの凹状部９の反対面に表面１ａを重ね、縁辺４、縁辺６および側端辺３、３‘の周辺を縫い合わせて裏面１ｂに表面１ａを重着することによりマスク本体１が形成される。実施例２についても同様である。
【００１５】
また、不織布とは織らない布で、繊維を合成樹脂その他の接着剤で接合して布状にしたものである。弾力性に富み、通気性に優れ、また、洋服等の芯材として使用され型崩れを防ぐ作用がある。この繊維素材としては、羊毛、ポリプロピレン、ポリアミド、アクリルニトリル、ポリエステル、ポリフェニレンサルファイド、芳香族アミラド等が使用される。通気性に優れるのでマスク用として好ましい。また、マスク本体の凹状部を椀状に保ち、型崩れを防ぐ等の効果を奏する。実施例２についても同様である。
【００１６】
以上の様に構成され、次に作用について説明する。
【００１７】
言うまでもなく、マスクに求められる機能は、身体に有害な花粉、粉塵、あるいは、ウイルス等の微粒物体が、呼気と共に体内に吸い込まれことを最大限に防ぐことである。
【００１８】
そのための対策は、マスク本体の生地と形状に関し、顔の立体形状、特に、鼻の隆起形状あるいは顔面の頬形状に倣って密着するものを吟味することが大事である。    
【００１９】
マスクＡ１を装着した状態の側面を図３に示すように、マスク本体１の頂点Ｐは窪んだ鼻根部Ｕの僅か下の位置に合致する。そして、マスクＡ１の縁辺４が鼻根部Ｕの僅か下部から鼻部Ｎの鼻背の左右に沿い、鼻部Ｎの隆起形状に倣って密着する。
【００２０】
一方、顔面下部の顎部Ｍの側面は、マスクＡ１の縁辺６に沿って密着する。マスクＡ１は、顎部Ｍの隆起形状に倣って変形するので、この部分の気密性が十分に確保される。
【００２１】
マスク本体１の裏面１ｂの生地として使用する不織布は、弾力性に富むので凹状部９の部位を椀形状に保持し易い。即ち、図２に示すように、縁辺４、側壁辺３，３‘および縁辺５によりマスクの周辺が形成される。そして、この周辺が高く、中央部へ低く下がって凹状部９が形成される。実施例２についても同様である。
【００２２】
そして、大事なのは、マスクＡ１の裏面には、鼻および口周辺と対向する凹状部９が形成されるので、この凹状部９が、マスク本体の表面１ａに向かって膨らみ、ゆとり空間Ｓの機能を有することになる。図３に示すように、ゆとり空間Ｓはマスク本体１の裏面１ｂと鼻および口周辺との間に形成される空間である。そのため、鼻および口の周辺が、裏面１ｂの生地に接触あるいは密着することなく凹状部９は形成されるので、マスクと鼻との接触による不快感を回避することができる。
【実施例２】
【００２３】
本実施例の実施例１との主たる相違点は、マスク本体１の表面１ａの生地が異なるところにある。
【００２４】
本考案の実施例について、図４、５を参照しながら説明する。図４は、この実施例における展開状態のマスクＡ２を表面１ａから見た斜視図、図５は、マスクＡ２を裏面１ｂから見た斜視図である。
【００２５】
マスクＡ２を表面１ａから見た斜視図として図４に示すように、マスクＡ２は、口周辺および鼻を覆うに足る大きさと形状を備えたマスク本体１と、マスク本体１の左右の側端辺３、３‘の夫々に、ゴム輪状の耳掛紐２、２‘を設けている。そして、マスク本体１上方の縁辺４の中央部において、Ｖカット状の縫い縮め部５を設ける。マスク本体１の中央部の上方をＶカットにして縫い縮めることにより、中央部の頂点Ｐ、Ｑ、Ｐ‘を結び、外方へ膨らんだ曲線は左右の側端辺３、３‘より長くなる。そして、この表面１ａの生地として、メリヤス編みの織布を使用する。
【００２６】
ここで、メリヤス編みとは、一本の糸で一つのループをつくり、次のループを入れてすくい出し、これを連鎖させてできた布地である。従って、外力により容易にその力の方向に伸び、またもとにもどる伸縮性が大であり、柔軟性に富む。本実施例の素材は、ナイロン、アクリル、エステル等の合成繊維である。
【００２７】
一方、マスクＡ２を裏面１ｂから見た斜視図として図５に示すように、マスク本体１の縁辺４、側壁辺３、３‘および縁辺６によりマスク本体１の周辺が形成される。そして、この周辺が高く、中心部へ向かって下がりながら凹状部９が形成される。この凹状部９はマスク本体１の周辺から中心に向かって窪んだ椀形を呈する。そして、マスク本体１の上下略真ん中で、左右方向に重ね縫い部７を設ける。そして、この裏面１ｂの生地として、不織布を使用する。
【００２８】
以上の様に構成され、次に作用について説明する。
【００２９】
表面１ａの生地として使用するメリヤス編みは、表と裏の網目が異なり、伸縮性に優れ、柔軟性に富む。従って、凹状部９が裏面から表面に向かって膨らむ凸形状に追随して、メリヤス編みの生地がマスク本体１の表面１ａを彎曲状に覆う。
【００３０】
裏面１ｂは不織布により構成される、この上下略真ん中の左右方向で、側端辺３、３‘の間に重ね縫い部７を設ける。この重ね縫い部７は不織布が重ね織りされた箇所なので、他の裏面１ｂ部より強度があり、椀形構造体である凹状部９の芯としての機能を有し、凹状部９を湾曲面として保持する機能がある。裏面１ｂの不織布により、凹状部９の型崩れが保たれるのみならず、さらに、重ね縫い部７が芯材として凹状部９の型崩れを防ぐ効果があり、湾曲面を維持する。
【産業上の利用可能性】
【００３１】
ウイルスが次々に発見され、季節が巡る毎に多くの人々が花粉症の用途の他に、各種の生産施設や廃棄物処理施設等で、有害な粉塵に曝さらされている人々の健康管理を考えるうえで本考案のマスクは有効である。
【図面の簡単な説明】
【００３２】
【図１】本考案のマスクの実施例１を示すもので、展開状態のマスクを表面１ａから見た斜視図である。
【図２】同上、マスクを裏面１ｂから見た斜視図である。
【図３】同上、マスクを装着した状態の説明図である。
【図４】同上、実施例２を示すもので、展開状態のマスクを表面１ａから見た斜視図である。
【図５】同上、マスクを裏面１ｂから見た斜視図である。
【図６】マスクの従来例を示すもので、展開状態のマスクを表面１ａから見た斜視図である。
【図７】同上、展開状態のマスクを裏面１ｂから見た斜視図である。
【符号の説明】
【００３３】
Ａ１、Ａ２  マスク
Ｂ  マスク
Ｍ  顎部
Ｎ  鼻部
Ｐ、Ｑ、Ｐ‘、Ｑ‘  頂点
Ｕ  鼻根部
Ｓ  ゆとり空間
１  マスク本体
１ａ  表面
１ｂ  裏面
２、２‘  耳掛紐
３、３‘  側端辺
４  縁辺
５、５‘  縫い縮め部
６  縁辺
７  重ね縫い部
９  凹状部
１１  マスク本体
１１ａ  表面
１１ｂ  裏面
１２、１２‘  耳掛紐
１３、１３‘  側端辺
１４  縁辺
１５、１５‘  縫い縮め部
１６  縁辺
１９  凹状部
【図１】
0003120210.tif 000003
【図２】
0003120210.tif 000004
【図３】
0003120210.tif 000005
【図４】
0003120210.tif 000006
【図５】
0003120210.tif 000007
【図６】
0003120210.tif 000008
【図７】
0003120210.tif 000009
【手続補正書】
【提出日】平成17年5月24日(2005.5.24)
【手続補正１】
【補正対象書類名】図面
【補正対象項目名】図３
【補正方法】変更
【補正の内容】
【図３】
0003120210.tif 000010